【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口が配列方向に配列された吐出口列を有する記録ヘッドと、
前記吐出口列を分割してなる複数の分割部分のうちそれぞれ異なる分割部分が複数回の走査それぞれで記録媒体上の単位領域と対面するように、前記記録ヘッドを前記単位領域に対して前記配列方向と交差する走査方向に相対的に複数回走査させる走査手段と、
記録の許容を定める記録許容画素と記録の非許容を定める非記録許容画素が配置された複数のマスクパターンであって、前記複数の分割部分に対応する複数のマスクパターンに基づいて、前記単位領域に対応する画像のデータから、前記単位領域に対する前記記録ヘッドの複数回の走査それぞれにおいて前記複数の分割部分それぞれからの吐出にて使用する記録データを生成する生成手段と、
前記記録データに基づいて前記記録ヘッドから前記単位領域にインクを吐出させる制御手段と、を有する画像記録装置であって、
前記複数のマスクパターンのうちの所定のマスクパターンは、第１の領域と、前記第１の領域よりも前記配列方向に相当する方向において前記所定のマスクパターンの端部側に位置する第２の領域と、を含み、
前記第１の領域において互いに隣接して配置された記録許容画素の数の平均は、前記第２の領域において互いに隣接して配置された記録許容画素の数の平均よりも少ないことを特徴とする画像記録装置。
【請求項２】
前記複数のマスクパターンのうちの前記所定のマスクパターンと異なる第２のマスクパターンは、第３の領域と、前記第３の領域よりも前記配列方向に相当する方向において前記第２のマスクパターンの端部側に位置する第４の領域と、を含み、
前記第３の領域において互いに隣接して配置された記録許容画素の数の平均は、前記第４の領域において互いに隣接して配置された記録許容画素の数の平均よりも少ないことを特徴とする請求項１に記載の画像記録装置。
【請求項３】
前記所定のマスクパターンは、前記第１の領域よりも前記配列方向に相当する方向において前記第２の領域側と反対の端部側に位置する第５の領域を更に含み、
前記第１の領域において互いに隣接して配置された記録許容画素の数の平均は、前記第５の領域において互いに隣接して配置された記録許容画素の数の平均よりも少ないことを特徴とする請求項１または２に記載の画像記録装置。
【請求項４】
前記第２の領域は前記所定のマスクパターン内の前記配列方向に相当する方向における一方の端部に位置し、前記第５の領域は前記所定のマスクパターン内の前記配列方向に相当する方向における他方の端部に位置することを特徴とする請求項３に記載の画像記録装置。
【請求項５】
前記第１の領域は前記所定のマスクパターン内の前記配列方向に相当する方向における中央部に位置することを特徴とする請求項１から４のいずれか１項に記載の画像記録装置。
【請求項６】
前記所定のマスクパターン内の前記第１の領域に配置された非記録許容画素に対する記録許容画素の割合は、前記所定のマスクパターン内の前記第２の領域に配置された非記録許容画素に対する記録許容画素の割合とほぼ等しいことを特徴とする請求項１から５のいずれか１項に記載の画像記録装置。
【請求項７】
前記記録媒体を加熱する加熱手段を更に備えることを特徴とする請求項１から６のいずれか１項に記載の画像記録装置。
【請求項８】
前記インクは、樹脂エマルジョンを含有することを特徴とする請求項１から７のいずれか１項に記載の画像記録装置。
【請求項９】
前記記録媒体は、基材と、前記基材上に塩化ビニルにより形成された層を有することを特徴とする請求項１から８のいずれか１項に記載の画像記録装置。
【請求項１０】
前記記録媒体上に形成された前記インクの層における臨界表面張力は、前記記録媒体における臨界表面張力と異なることを特徴とする請求項１から９のいずれか１項に記載の画像記録装置。
【請求項１１】
前記複数のマスクパターンは、互いに排他的且つ補完的な位置に記録許容画素が配置されていることを特徴とする請求項１から１０のいずれか１項に記載の画像記録装置。
【請求項１２】
インクを吐出するための複数の吐出口が配列方向に配列された吐出口列を有する記録ヘッドと、
前記吐出口列を分割してなる複数の分割部分のうちそれぞれ異なる分割部分が複数回の走査それぞれで記録媒体上の同じ単位領域と対面するように、前記記録ヘッドを前記単位領域に対して前記配列方向と交差する走査方向に相対的に複数回走査させる走査手段と、
記録の許容を定める記録許容画素と記録の非許容を定める非記録許容画素が配置された複数のマスクパターンであって、前記複数の分割部分に対応する複数のマスクパターンに基づいて、前記単位領域に対応する画像のデータから、前記単位領域に対する前記記録ヘッドの複数回の走査それぞれにおいて前記複数の分割部分それぞれからの吐出にて使用する記録データを生成する生成手段と、
前記記録データに基づいて前記記録ヘッドから前記単位領域にインクを吐出させる制御手段と、を有する画像記録装置であって、
前記複数のマスクパターンのうちの所定のマスクパターンは、第１の領域と、前記第１の領域よりも前記配列方向に相当する方向において前記所定のマスクパターンの端部側に位置する第２の領域と、を含み、
前記第１の領域に配置された記録許容画素の分散度は、前記第２の領域に配置された記録許容画素の分散度よりも小さいことを特徴とする画像記録装置。
【請求項１３】
インクを吐出するための複数の吐出口が配列方向に配列された吐出口列を有する記録ヘッドを用いて記録を行う画像記録方法であって、
前記吐出口列を分割してなる複数の分割部分のうちそれぞれ異なる分割部分が複数回の走査それぞれで記録媒体上の単位領域と対面するように、前記記録ヘッドを前記単位領域に対して前記配列方向と交差する走査方向に相対的に複数回走査させる走査工程と、
記録の許容を定める記録許容画素と記録の非許容を定める非記録許容画素が配置された複数のマスクパターンであって、前記複数の分割部分に対応する複数のマスクパターンに基づいて、前記単位領域に対応する画像のデータから、前記単位領域に対する前記記録ヘッドの複数回の走査それぞれにおいて前記複数の分割部分それぞれからの吐出にて使用する記録データを生成する生成工程と、
前記記録データに基づいて前記記録ヘッドから前記単位領域にインクを吐出させる制御工程と、を有し、
前記複数のマスクパターンのうちの所定のマスクパターンは、第１の領域と、前記第１の領域よりも前記配列方向に相当する方向において前記所定のマスクパターンの端部側に位置する第２の領域と、を含み、
前記第１の領域において互いに隣接して配置された記録許容画素の数の平均は、前記第２の領域において互いに隣接して配置された記録許容画素の数の平均よりも少ないことを特徴とする画像記録方法。
【請求項１４】
インクを吐出するための複数の吐出口が配列方向に配列された吐出口列を有する記録ヘッドを用いて記録を行う画像記録方法であって、
前記吐出口列を分割してなる複数の分割部分のうちそれぞれ異なる分割部分が複数回の走査それぞれで記録媒体上の同じ単位領域と対面するように、前記記録ヘッドを前記単位領域に対して前記配列方向と交差する走査方向に相対的に複数回走査させる走査工程と、
記録の許容を定める記録許容画素と記録の非許容を定める非記録許容画素が配置された複数のマスクパターンであって、前記複数の分割部分に対応する複数のマスクパターンに基づいて、前記単位領域に対応する画像のデータから、前記単位領域に対する前記記録ヘッドの複数回の走査それぞれにおいて前記複数の分割部分それぞれからの吐出にて使用する記録データを生成する生成工程と、
前記記録データに基づいて前記記録ヘッドから前記単位領域にインクを吐出させる制御工程と、を有し、
前記複数のマスクパターンのうちの所定のマスクパターンは、第１の領域と、前記第１の領域よりも前記配列方向に相当する方向において前記所定のマスクパターンの端部側に位置する第２の領域と、を含み、
前記第１の領域に配置された記録許容画素の分散度は、前記第２の領域に配置された記録許容画素の分散度よりも小さいことを特徴とする画像記録方法。
【請求項１５】
請求項１３または１４に記載の画像記録方法を実行するために、画像記録装置のコンピュータを機能させるプログラム。
【手続補正２】
【補正対象書類名】明細書
【補正対象項目名】００１３
【補正方法】変更
【補正の内容】
【００１３】
そこで、本発明は、インクを吐出するための複数の吐出口が配列方向に配列された吐出口列を有する記録ヘッドと、前記吐出口列を分割してなる複数の分割部分のうちそれぞれ異なる分割部分が複数回の走査それぞれで記録媒体上の単位領域と対面するように、前記記録ヘッドを前記単位領域に対して前記配列方向と交差する走査方向に相対的に複数回走査させる走査手段と、記録の許容を定める記録許容画素と記録の非許容を定める非記録許容画素が配置された複数のマスクパターンであって、前記複数の分割部分に対応する複数のマスクパターンに基づいて、前記単位領域に対応する画像のデータから、前記単位領域に対する前記記録ヘッドの複数回の走査それぞれにおいて前記複数の分割部分それぞれからの吐出にて使用する記録データを生成する生成手段と、前記記録データに基づいて前記記録ヘッドから前記単位領域にインクを吐出させる制御手段と、を有する画像記録装置であって、前記複数のマスクパターンのうちの所定のマスクパターンは、第１の領域と、前記第１の領域よりも前記配列方向に相当する方向において前記所定のマスクパターンの端部側に位置する第２の領域と、を含み、前記第１の領域において互いに隣接して配置された記録許容画素の数の平均は、前記第２の領域において互いに隣接して配置された記録許容画素の数の平均よりも少ないことを特徴とする。